(57)【要約】  機器収納ラックは内部領域を画定するハウジングを含む。ハウジングは外面を備える。少なくとも1台の電子機器が内部領域内でハウジングに支持される。管理システムは、機器収納ラックの状態を監視且つ表示するよう適合されている。ある構成では、管理システムは、ハウジングの内部領域に載置されたコントローラユニットと、コントローラユニットに接続し且つハウジングの外部に載置される表示装置と、コントローラユニットに結合されると共に機器収納ラックの少なくとも1つのパラメータを監視する少なくとも1つの監視装置とを含む。機器収納ラックを制御する方法も開示する。
2009526407.tif 000002
【特許請求の範囲】
【請求項１】
機器収納ラックであって、
内部領域を画定すると共に外部を備えたハウジングと、
前記内部領域内で前記ハウジングに支持される少なくとも1つの電子機器と、
前記機器収納ラックの状態を監視且つ表示するよう適合された管理システムで、
前記ハウジングの前記内部領域に載置されたコントローラユニットと、
前記コントローラユニットに接続し且つ前記ハウジングの前記外部に載置された表示装置と、
前記機器収納ラックの少なくとも1つのパラメータを監視するための、前記コントローラユニットに結合された少なくとも1つの監視装置とを含む管理システムとを含む、機器収納ラック。
【請求項２】
前記少なくとも1つの監視装置が、前記機器収納ラックの前記ハウジングに載置された環境センサを含む、請求項1に記載の機器収納ラック。
【請求項３】
前記環境センサは温度センサを含み、前記機器収納ラック管理システムは、前記コントローラユニットに結合された空気調和装置を更に含み、前記コントローラユニットが、前記温度センサが得た情報に基づいて該空気調和装置の動作を制御するよう構成された、請求項2に記載の機器収納ラック。
【請求項４】
前記機器収納ラックの前記ハウジングに固定されるよう構成されたセンサ取り付け台と、前記環境センサを該センサ取り付け台に取り付けるためのスナップ留めクリップ及びジップタイの何れかとを更に含む、請求項3に記載の機器収納ラック。
【請求項５】
前記環境センサが該環境センサを前記コントローラユニットに接続するケーブルを含み、前記管理システムが、前記機器収納ラックの前記ハウジングに固定されるよう構成されたケーブル取り付け台と、該ケーブルを該ケーブル取り付け台に取り付けるためのスナップ留めクリップ及びジップタイの何れかとを含む、請求項4に記載の機器収納ラック。
【請求項６】
前記少なくとも1つの電子機器に接続された電源装置を更に含み、前記少なくとも1つの監視装置が該電源装置に接続された、請求項1に記載の機器収納ラック。
【請求項７】
前記ハウジングは、該ハウジングの前記内部領域に手が届くようにドアを更に含み、前記表示装置は前記機器収納ラックの該ドアに載置されるよう構成された、請求項1に記載の機器収納ラック。
【請求項８】
前記表示装置は二部構造であり、前記表示装置の第1部分は前記ドアの外側に配置されるよう構成される一方、前記表示装置の第2部分は前記ドアの内側に配置されるよう構成されており、該第1及び第2部分は、該第1部分と該第2部分との間に前記ドアを配置した状態で互いに固定される、請求項7に記載の機器収納ラック。
【請求項９】
前記コントローラユニットを第2機器収納ラックの第2コントローラユニットに接続するよう構成されたケーブルを更に含む、請求項1に記載の機器収納ラック。
【請求項１０】
前記コントローラユニットに結合されると共に前記機器収納ラックの前記ハウジングに載置されたビーコンであって、前記少なくとも1つの監視装置が所定の事象を検出すると警報を発するためのビーコンを更に含む、請求項1に記載の機器収納ラック。
【請求項１１】
ネットワーク管理システムと通信するよう更に構成された、請求項1に記載の機器収納ラック。
【請求項１２】
前記コントローラユニットは、該コントローラユニットを、前記機器収納ラックの前記ハウジングの前記内部領域において前記機器収納ラックの前記ハウジングに固定するよう構成された取り付けタブを備えたケーシングを含む、請求項1に記載の機器収納ラック。
【請求項１３】
前記ハウジングが標準19インチラックとして構成された、請求項1に記載の機器収納ラック。
【請求項１４】
機器収納ラック内に載置されるよう構成されたコントローラユニットと、
前記機器収納ラックに載置されるよう構成された表示装置と、
前記コントローラユニットと前記表示装置との間に通信を実現するためのケーブルとを備えた、キット。
【請求項１５】
前記機器収納ラックの少なくとも1つのパラメータを監視するよう構成された少なくとも1つの監視装置と、前記少なくとも1つの監視装置と前記コントローラユニットとの間に通信を実現するケーブルとを含む、請求項14に記載の機器収納ラック。
【請求項１６】
前記少なくとも1つの監視装置が少なくとも1つの環境センサを含む、請求項15に記載のキット。
【請求項１７】
前記少なくとも1つの監視装置が電源装置に接続された、請求項15に記載のキット。
【請求項１８】
前記表示装置が二部構造である、請求項15に記載のキット。
【請求項１９】
別のケーブルが、前記コントローラユニットと第2機器収納ラックの第2コントローラユニットとの間に通信を実現する、請求項15に記載のキット。
【請求項２０】
別のケーブルによって前記コントローラユニットに結合されると共に前記機器収納ラックの前記ハウジングに載置されるよう構成されたビーコンであって、前記少なくとも1つの監視装置が所定の事象を検出すると警報を発するためのビーコンを更に含む、請求項15に記載のキット。
【請求項２１】
前記コントローラユニットがネットワーク管理システムと通信するよう構成された、請求項15に記載のキット。
【請求項２２】
前記コントローラユニットが、該コントローラユニットを、前記機器収納ラックの前記ハウジングの内部領域において前記機器収納ラックの前記ハウジングに固定するよう構成された取り付けタブを備えたケーシングを含む、請求項15に記載のキット。
【請求項２３】
別のケーブルによって前記コントローラユニットに結合されるよう構成された冷却システムを更に含む、請求項15に記載のキット。
【請求項２４】
少なくとも1つの電子機器を含むタイプの機器収納ラックを制御する方法であって、
コントローラユニットを前記機器収納ラックに載置する段階と、
表示装置を前記機器収納ラックに載置する段階と、
前記機器収納ラックの少なくとも1つのパラメータを監視するよう構成された少なくとも1つの監視装置を取り付ける段階と、
前記コントローラユニットを前記表示装置及び前記少なくとも1つの監視装置に接続する段階とを含む、方法。
【請求項２５】
前記コントローラユニットを前記機器収納ラックの無停電電源装置に接続する段階を更に含む、請求項24に記載の方法。
【請求項２６】
前記少なくとも1つの監視装置が環境センサを含む、請求項24に記載の方法。
【請求項２７】
前記環境センサが温度センサと温度兼湿度センサとの何れかを含み、前記方法が、冷却システムを前記コントローラユニットに接続する段階を更に含み、前記コントローラユニットは、該温度センサが得た情報に基づいて該冷却システムの動作を制御するよう構成された、請求項24に記載の方法。
【請求項２８】
前記表示装置を前記機器収納ラックの前記ハウジングの外部に載置する段階を更に含む、請求項24に記載の方法。
【請求項２９】
前記表示装置は二部構造であり、前記表示装置を載置する前記段階は、前記二部構造表示装置の第1部分を前記機器収納ラックの前記ハウジングの前記外部に取り付ける段階と、前記第1部分を前記表示装置の第2部分に前記機器収納ラックの内部領域から固定する段階とを含む、請求項28に記載の方法。
【請求項３０】
少なくとも1つの監視装置を取り付ける前記段階は、センサ取り付け台を前記機器収納ラックの前記ハウジングに固定する段階と、スナップ留めクリップ及びジップタイの何れかを用いて前記少なくとも1つの監視装置を該センサ取り付け台に取り付ける段階とを含む、請求項24に記載の方法。
【請求項３１】
前記コントローラユニットを前記少なくとも1つの監視装置に接続する前記段階は、ケーブルを使用する段階を含み、更に、ケーブル取り付け台を前記機器収納ラックの前記ハウジングに固定する段階と、該ケーブルを該ケーブル取り付け台にジップタイを用いて取り付ける段階とを含む、請求項24の方法。
【発明の詳細な説明】
【技術分野】
【０００１】
技術分野
本発明はラックと筐体に関し、より詳細にはデータ処理装置、ネットワーキング装置、及び電気通信装置を収納するラック及び筐体に関する。
【背景技術】
【０００２】
データ処理、ネットワーキング、及び電気通信装置などの電子機器を収納するための機器筐体又はラックが長年にわたって使用されてきた。こうしたラックは、機器室及び大型データセンターに加え小型の配線収納庫内で機器を収容し、配置するために用いられる。実施形態によっては、機器収納ラックを開放構成とすることができ、ラック筐体内に収容可能である。ただし、ラックの概念の中に筐体が含まれることもある。
【０００３】
過去数年にわたって、製造者を異にする標準ラックに搭載できるラック搭載可能機器の設計を可能とする多くの異なる規格が開発されてきた。標準的なラックは、典型的には、サーバやCPUなどの多数の電子機器ユニットをラック内部で搭載し垂直に積み重ねる前面搭載レールを含む。代表的な業界標準ラックは、高さが約6乃至6.5フィート、幅が約24インチ、奥行きが約40インチである。こうしたラックは一般的に「19インチ」ラックと呼ばれ、電子工業協会のEIA-310-D規格により定義されている。
【０００４】
これまでにもラックを収容するデータセンターの配電及び冷却システムを管理するための管理システムが開発されてきた。こうした管理システムの1つとしては、本発明の譲受人である、ロードアイランド州ウェストキングストン所在のアメリカンパワーコンバージョン社(American
Power Conversion Corporation)が販売するInfraStruXure(商標)(「ISX」)マネージャが知られており、これは特に大型データセンターの動作を制御するよう設計されている。
【０００５】
発明の概要
本発明の一様態は、内部領域を画定するハウジングを含む機器収納ラックに関する。前記ハウジングは外面を備える。少なくとも1つの電子機器が前記内部領域内で前記ハウジングに支持される。管理システムが、前記機器収納ラックの状態を監視且つ表示するよう適合されている。一実施形態では、前記管理システムは、前記ハウジングの前記内部領域に載置されたコントローラユニットと、該コントローラユニットに結合され且つ前記ハウジングの外部に載置される表示装置と、前記機器収納ラックの少なくとも1つのパラメータを監視するための、前記コントローラユニットに結合された少なくとも1つの監視装置とを含む。
【０００６】
前記収納ラックの実施形態は、前記少なくとも1つの監視装置に、前記機器収納ラックの前記ハウジングに載置した環境センサを備えることに関するものでよい。前記環境センサは温度センサを含む。前記機器収納ラック管理システムは、前記コントローラユニットに結合された空気調和装置を更に含む。前記コントローラユニットは、前記温度センサが得た情報に基づいて前記空気調和装置の動作を制御するよう構成されている。センサ取り付け台は、前記機器収納ラックの前記ハウジングと、前記環境センサを該センサ取り付け台に取り付けるためのスナップ留めクリップ及びジップタイの何れかとに固定されるよう構成されている。前記環境センサは、該環境センサを前記コントローラユニットに接続するケーブルを含む。前記管理システムは、前記機器収納ラックの前記ハウジングケーブル取り付け台に固定されるよう構成されたケーブル取り付け台と、前記ケーブルを該ケーブル取り付け台に取り付けるためのスナップ留めクリップ及びジップタイの何れかとを更に含む。電源装置が前記少なくとも1つの電子機器に接続され、前記少なくとも1つの監視装置が前記電源装置に接続されている。前記ハウジングは、該ハウジングの前記内部領域に手が届くようにするドアを更に含み、前記表示装置は前記機器収納ラックの該ドアに載置されるよう構成されている。前記表示装置は二部構造であり、該表示装置の第1部分は前記ドアの外側に配置されるよう構成される一方、該表示装置の第2部分は前記ドアの内側に配置されるよう構成されており、該第1及び第2部分は、該第1部分と該第2部分との間に前記ドアを配置した状態で互いに固定される。ケーブルが、前記コントローラユニットを第2機器収納ラックの第2コントローラユニットに接続するよう構成されている。ビーコンが前記コントローラユニットに結合されると共に前記機器収納ラックの前記ハウジングに載置されており、前記少なくとも1つの監視装置が所定の事象を検出すると警報を発する。前記機器収納ラックはネットワーク管理システムと通信するよう更に構成できる。前記コントローラユニットは、該コントローラユニットを前記機器収納ラックの前記ハウジングの前記内部領域において前記機器収納ラックの前記ハウジングに固定するよう構成された取り付けタブを備えたケーシングを含む。前記ハウジングは標準19インチラックとして構成されている。
【０００７】
本発明の別の側面は、機器収納ラック内に載置されるよう構成されたコントローラユニットと、該機器収納ラックに載置されるよう構成された表示装置と、該コントローラユニットと該表示装置との間の通信を実現するケーブルとを含むキットを含む。
【０００８】
本発明の実施形態は、前記機器収納ラックの少なくとも1つのパラメータを監視するよう構成された少なくとも1つの監視装置と、前記少なくとも1つの監視装置と前記コントローラユニットとの間に通信を実現するケーブルとを含むことができる。前記少なくとも1つの監視装置は少なくとも1つの環境センサを含む。前記少なくとも1つの監視装置は電源装置に接続されている。前記表示装置は二部構造である。別のケーブルが、前記コントローラユニットと第2機器収納ラックの第2コントローラユニットとの間の通信を実現する。ビーコンが別のケーブルで前記コントローラユニットに結合されると共に前記機器収納ラックの前記ハウジングに載置されており、前記少なくとも1つの監視装置が所定の事象を検出すると警報を発するよう構成できる。前記コントローラユニットはネットワーク管理システムと通信するよう構成されている。前記コントローラユニットは、該コントローラユニットを、前記機器収納ラックの前記ハウジングの内部領域において前記機器収納ラックの前記ハウジングに固定するよう構成された取り付けタブを備えたケーシングを含む。冷却システムが、別のケーブルによって前記コントローラユニットに結合されるよう構成されている。
【０００９】
本発明の更なる様態は、少なくとも1つの電子機器を含むタイプの機器収納ラックを制御する方法に関する。具体的には、前記方法は、コントローラユニットを前記機器収納ラックに載置する段階と、表示装置を前記機器収納ラックに載置する段階と、前記機器収納ラックの少なくとも1つのパラメータを監視するよう構成された少なくとも1つの監視装置を取り付ける段階と、前記コントローラユニットを該表示装置及び前記少なくとも1つの監視装置に接続する段階とを含む。
【００１０】
前記方法の実施形態は、前記コントローラユニットを前記機器収納ラックの無停電電源装置に接続する段階を含むことができる。前記少なくとも1つの監視装置は環境センサを含む。前記センサは温度センサと、温度及び湿度センサの組み合わせとの何れかを含む。前記方法は、冷却システムを前記コントローラユニットに接続する段階を更に含む。前記コントローラユニットは、前記温度センサが得た情報に基づいて前記冷却システムの動作を制御するよう構成されている。前記方法は、前記表示装置を前記機器収納ラックの前記ハウジングの外部に載置する段階を更に含む。前記表示装置は二部構造であり、前記表示装置を載置する前記段階は、前記二部構造表示装置の第1部分を前記機器収納ラックの前記ハウジングの前記外部に取り付ける段階と、前記第1部分を前記表示装置の第2部分に前記機器収納ラックの内部領域から固定する段階とを含む。少なくとも1つの監視装置を取り付ける前記段階は、センサ取り付け台を前記機器収納ラックの前記ハウジングに固定する段階と、スナップ留めクリップ及びジップタイの何れかを用いて前記少なくとも1つの監視装置を該センサ取り付け台に取り付ける段階とを含む。前記コントローラユニットを前記少なくとも1つの監視装置に接続する前記段階は、ケーブルを使用する段階を含み、更に、ケーブル取り付け台を前記機器収納ラックの前記ハウジングに固定する段階と、該ケーブルを前記ケーブル取り付け台にジップタイを用いて取り付ける段階とを含む。
【００１１】
本発明は、次の図面、詳細な説明、及び特許請求の範囲を参照すればより完全に理解できるはずである。
【発明を実施するための最良の形態】
【００１２】
例示目的で且つその一般性を限定することなく、本発明を添付の図面を参照しつつ以下に詳細に説明する。本発明は、以下の記載で説明し又図示した構成の細部や構成要素の配置に限定されるものではない。本発明はそれ以外の実施形態も可能であり、様々な様態で実施又は実行できる。また、本明細書で使用する語句及び用語は説明目的であり、限定的に考慮されるべきではない。「含む」、「包含する」、「備える」、「収容する」、「伴う」、及び本明細書でのそれらの変形は、それらの目的語となる部材とその等価物や付加的部材も含むことを意図している。
【００１３】
ここで図面を参照すると、具体的に図1では、典型的なデータセンターの一部を10で示した。図示したように、データセンター10は、床面12、それぞれ14で示した複数の壁面、及び天井16を含む。上述したように、データセンター10は、それぞれを18で示した複数の機器収納ラックを収容するよう設計されている。一実施形態では、各機器収納ラック18は、2004年11月17日付けで提出され、「機器筐体キット及び組み付け方法(EQUIPMENT
ENCLOSURE KIT AND ASSEMBLY METHOD)」と題した米国特許出願第10/990,927号に開示された教示に従って構成されているが、これは本発明の譲受人が所有するものであり、引用して本明細書に援用する。更に、図1には特に示されていないが、機器収納ラック18間のケーブル布線は、米国特許第6,967,283号に開示されているラックのルーフに含まれたケーブル分配溝を用いて実施できる。この米国特許は本発明の譲受人に譲渡されており、ここに引用して援用する。本発明の原理はより小型のデータセンター、機器室、コンピュータ室、及び配線収納庫にも応用できる。具体的には、本明細書に記載したシステムは、より小規模の応用例に特に適する場合がある。
【００１４】
図2を参照すると、機器収納ラック18は、データ処理、ネットワーキング、及び電気通信装置のような電子構成要素(図示しない)を支持するよう適合されたフレームすなわちハウジング20を含む。このハウジングは、前部22、背部24、側部26、28、底部30、及び上部32を含む。各機器収納ラック18の前面22は、当該機器収納ラック内部に手が届くように前ドア34を含む。更に、ドア58を機器収納ラックの後部に設け、収納ラックの内部領域に反対側から手が届くようにしてもよい。ロック36を設けて、機器収納ラック18の内部及びラックに収納された機器に手が届かないようにしてもよい。機器収納ラック18の側部26及び28は、ラックの内部領域を囲む少なくとも1つのパネル38を含むことができる。図2は収納ラックの側部を囲むように構成された2枚のそうしたパネル38を示す。機器収納ラック18の背部24にも、その背部から機器収納ラックの内部に手が届くように少なくとも1つのパネル又は後ドア(例えば、図1に示したドア58)を含むことができる。幾つかの実施形態では、例えば機器収納ラックの内外部に空気を流動させるため、前ドア及び後ドアだけでなく側部及び後パネルは穴あき薄板金から作製してもよい。
【００１５】
機器収納ラック18はモジュール式の構成で、例えばデータセンターの列内で定位置に転がして入れたり、そこから出したりするよう構成されている。キャスター40を各機器収納ラック18の底部に取り付けて、このラックをデータセンター10の床面12上で転がして運ぶことができる。いったん定位置に運べば、平準足42を展開して、機器収納ラック18を列内の定位置で安定して床に設置できる。こうした機器収納ラック18に使用されるキャスター40と平準足42の一例が、米国特許出願第10/990,927号に詳細に開示されている。
【００１６】
いったん定位置に置けば、電子機器を機器収納ラック18の内部領域に位置決めできる。例えば、こうした機器は、機器収納ラック18の内部領域に固定された棚に載置すればよい。図1には示されていないが、電気及びデータ通信を実現するケーブルは、機器収納ラック18の上部にある開口部が形成されたカバー(又は米国特許第6,967,283号に記載された「ルーフ」)を介して、或いは機器収納ラックの開放上部を介して、機器収納ラックの頂部32を通過させればよい。こうした実施形態では、これらケーブルはラックのルーフに沿って架設するか、上述のケーブル分配溝に布設してもよい。別の実施形態では、これらケーブルはデータセンターに設けられた上げ床内に布設し、機器収納ラック18の底部を介して電子機器に接続してもよい。何れの構成でも、電力及び通信線は機器収納ラック18まで配線される。
【００１７】
図1を更に参照すると、上述のように、データセンター10では、冷えた空気が低温通路Cからラック内に吸い込まれ、暖かい或いは熱い空気がラックから高温通路Hに放出されるように複数列の機器収納ラックが構成されている。例示目的のみだが、機器収納ラック18は図1において2列で配置されており、近い列の機器収納ラックの前面22は図1に示したように前方向に配置されていて、遠い列の機器収納ラックの背部24は図1に示したように後ろ方向に配置されている。しかし、上述のように、典型的なデータセンターには多くの列の機器収納ラック18が配置されるが、これら列は、機器収納ラックの前面が互いに対向して低温通路を画定でき、機器収納ラックの背部が互いに対向して高温通路を画定できる。
【００１８】
データセンター10又は機器室内の発熱及び熱点に対処するため、或いはデータセンター又は機器室内の気候調節問題一般に対処するため、モジュール式冷却システムのような冷却システムを提供できる。こうしたモジュール式システムは、2006年1月19付けで提出され、「冷却システム及び方法(COOLING
SYSTEM AND METHOD)」と題した係属中の米国特許出願第11/335,874号に記載されている。これは本発明の譲受人が所有するものであり、引用して本明細書に援用する。図1に示したように、冷却システムは、データセンター10内に配置され且つそれぞれを50で示した複数の冷却ラックを含むことができる。図示したように、データセンター10には、2つの機器収納ラック18毎に1つの冷却ラック50が存在するような配置となっている。しかし、通常の技能を備えた当業者であれば、データセンター10の環境条件によっては、データセンター内にこれより多い或いは少ない冷却ラック50を設けてもよいことは理解すべきである。幾つかの実施形態では、冷却ラックの集中度及び位置はデータセンター内の最も高温のラックの位置に基づき、或いはデータセンター情報管理システムにより収集且つ分析された情報に基づいて調節すればよい。
【００１９】
データセンター10又は機器室や配線収納庫は、場合によって、例えば冷却機ユニット(図示しない)のような適切な供給源から冷媒(例えば、水、グリコール水溶液、又はR134A及びR410A冷媒のような冷却液)を送出し、戻す冷媒導入口52及び冷媒放出口54を更に含んでもよい。具体的に、冷媒導入口52は、冷やされた又は冷却冷媒をデータセンター10まで送出するよう適合されており、一方、冷媒放出口54は熱せられた冷媒をデータセンターから放出するよう適合されている。導入口52及び放出口54は、図1の56で示したマニホルドすなわち分配器と流体連通している。分配器56はデータセンター10内に配置した筐体を含むことができ、機器収納ラック18に類似の様態で構成できる。分配器56は冷やされた冷媒を分配し、各冷却ラック50から熱せられた冷媒を受け取るよう設計されている。幾つかの実施形態では、分配器56を好都合にデータセンター10内に配置してもよく、他の実施形態では、データセンターの外部に配置してもよい。図1は、データセンター10の機器収納ラック18と冷却ラック50付近に配置された分配器56を図示している。図示したように、分配器56は、冷やされた冷媒を各冷却ラック50に分配し、各冷却ラックから熱せられた冷媒を排出するため冷却ラックと流体連通している。
【００２０】
このモジュール式冷却システム及びその様々な構成要素並びに構成は、係属中の米国特許第11/335,874号に詳細に記載されている。又、この冷却システムは、本発明の譲受人である、ロードアイランド州ウェストキングストン所在のアメリカンパワーコンバージョン社が販売する幾つかの冷却ソリューションの何れかなどの他の冷却構成としてもよい。
【００２１】
より小型のデータセンター、機器室、コンピュータ室、及び配線収納庫では、InfraStruXure(登録商標)マネージャのようなシステムマネージャ使用は不可能か、費用対効果がよくない場合がある。こうしたより小型の用途では、例えば電源保護、発電、配電、環境監視、冷却、アクセス及び保安、並びに火事及び煙監視機能などの機器動作を運転員が監視且つ制御できるよう設計された専用システムを備えることが望ましいかもしれない。これらの機能の１つ又は複数を監視且つ制御する製品が現時点で入手可能である。例えば、無停電電源装置の製品系列としては、本発明の譲受人である、ロードアイランド州ウェストキングストン所在のアメリカンパワーコンバージョン社がSymmetra(登録商標)というブランド名で販売するものがあり、これは単一の機器収納ラックの電源及び環境データを表示可能なディスプレイが含まれる。更に、複数ラック間の通信を行うためのシステムを設けてもよい。
【００２２】
ここで図3を参照すると、本発明の一実施形態による機器収納ラック管理システムを100で示した。管理システム100は、上述した機器収納ラック18などの機器収納ラックの状態を監視且つ表示し、別の異なる製品が現時点で提供する付加的機能を提供するよう構成されている。こうした機器収納ラックでは、ブレードサーバなどの１つ又は複数の電子機器がハウジングにより支持されている。本明細書に記載した管理システム100は、データセンター、機器室、又は配線収納庫内の棚やその他適切な場所など、電子機器を機器収納ラック外部に配置したシステムで使用することもできることは理解すべきである。後に詳述するように、管理システム100は機器収納ラックの動作を制御するよう独立して動作してもよいし、より高いレベルのネットワークマネージャ及び／又は付加的な機器収納ラックと通信するよう構成してもよい。
【００２３】
一実施形態では、管理システム100は、機器収納ラックのハウジング内部に載置できるコントローラユニット102と、該コントローラユニットに接続され且つ機器収納ラックのハウジングに載置される表示装置104とを含む。機器収納ラックのレベルでは、コントローラユニット(図3では「ラックマネージャ装置」と呼ぶこともある)は、無停電電源装置すなわちUPS106、変圧器108、バイパス装置110、電力分配器(「PDU」)112、及び冷却ユニット又はシステム114のうち１つ又は複数に接続できる。バイパス装置110は、電源から電流を受け取り、その電流をUPSに送り、UPSが動作不能又は無能力化されている場合は直接負荷に送るよう構成できる。動作可能なら、UPSは電流をバイパス装置に送り返し、この電流を負荷に送る。冷却ユニット114に関しては、コントローラユニット102は、上述した冷却システム50又は他の冷却システムなどの冷却システムと通信して、機器収納ラックでの或いはその近くの環境状態に関して得た情報に基づいてスペース内の空気冷却を制御できる。
【００２４】
コントローラユニット102は、機器収納ラックの幾つかのパラメータを監視するための1つ又は複数の監視装置に接続できる。具体的には、コントローラユニット102は、機器収納ラックにおける又はその近くの環境状態を測定するための1つ又は複数のセンサに接続できる。図3に示したように、これらセンサはスペース内の温度及び湿度を検出又は測定する温度／湿度センサ116を含むことができる。幾つかの実施形態では、このセンサは温度センサでもよいし、温度兼湿度センサでもよい。更に、これらセンサは、スペース内の望ましくない水分や湿りを検出する漏れ／水分センサ118、スペース内の発熱又煙を検出する煙センサ120、機器収納ラックのドア(例えば、図1に示した収納ラック18のドア34又はドア58)が開放位置か閉鎖位置のどちらにあるかを示すドア状態センサ122、及びスペース内の望ましくない動きを検出する動作センサ124を更に含むことができる。これ以外のセンサとしては振動センサ及び保安関連のセンサを含むことができる。一実施形態では、これらセンサは、機器収納ラックのハウジング又は機器収納ラック付近の構造体に取り付ければよい。スペース内の他のパラメータを監視又は測定するのに有用な任意数のセンサを更に設けてもよいことは理解すべきである。
【００２５】
一実施形態では、コントローラユニット102は、当該ラック及び／又は機器室を監視するカメラを含むことができるNetBotz(商標)モニタ及び機器に接続してよい。NetBotzモニタ及び機器は、本発明の譲受人である、ロードアイランド州ウェストキングストン所在のアメリカンパワーコンバージョン社が販売している。
【００２６】
漏れ／水分センサ118及び火事／煙センサ120に加え、例えば温度センサ116などの環境センサは、機器収納ラックのハウジング上の場所で、後に詳述する様態で環境状態を測定することが望ましいに場所に取り付ければよい。幾つかの実施形態では、機器収納ラック18のハウジング20は、その機器収納ラックの内部に手が届くように4つのドアを備えるよう構成できる。この実施形態では、2つのドアが機器収納ラックの前面に、2つのドアがラックの背面に取り付けられている。コントローラユニット102は、機器収納ラックのこれら4つのドアの状態(すなわち、ドアの開閉)を監視する4つのドアセンサを備えるよう構成できる。図1及び2に示した機器収納ラック18のような他の実施形態では、収納ラックは1つの前面ドア(例えばドア34)及び2つの背面ドア(例えば、図1のドア58)を含むように構成されているが、背面ドアは1つでもよい。
【００２７】
図3を続けて参照すると、コントローラユニット102はビーコン126に接続することもでき、このビーコン126は機器収納ラック18のハウジング50に載置したり、データ室又は配線収納庫内の目に見える場所に設置して、1つ又は複数の監視装置により許容条件を上回る値が検出されると警報を発するものである。一実施形態では、ビーコン126は、機器収納ラック18のハウジング20の頂部32又は前部22に載置できる。ビーコン126は、ある事象の発生時に、視覚警報をデータ室の運転員(又は警備担当者)に通知するよう構成できる。他の実施形態では、ビーコン126は視覚警報に加え、サイレンや他の音響装置を含んでもよい。一実施形態では、管理システム100は、重大(第1)、軽度(第2)、注意(第3)、及び情報(第4)からなる4つのレベルの事象の1つを識別するようプログラムできる。例えば、ビーコン126は、特定の重大又は軽度事象が発生したときに警報を発するよう構成できる。
【００２８】
又、コントローラユニット102は、増設した機器収納ラックに設けられた1つ又は複数のコントローラユニットにも接続できる。これら増設機器収納ラックは、上述の機器収納ラック18に類似の様態で構成してよい。例えば、一実施形態では、これらコントローラユニット102は各機器収納ラック18内に設けることができる。この実施形態では、コントローラユニット102は互いに通信するよう構成できる。他の実施形態では、コントローラユニット102は、上述したISXマネージャなどのネットワーク管理システムと通信するよう構成できる。
【００２９】
図4を参照すると、コントローラユニット102に設けられたハードウェアのブロック図が示されている。図示したように、コネクタ128が、コントローラユニット102をUPS106に接続するために備わっている。センサコネクタ130も設けられており、コントローラユニット102を温度／湿度センサ116、煙センサ120、漏れ／水分センサ118、及び動作／振動センサ124に接続する。センサコネクタ130は、これら温度／湿度センサ、煙センサ、漏れ／水分センサ、及び動作／振動センサの嵌め合いプラグを収容するレセプタクルを備えるよう構成されている。ユーザ入力132が、コントローラユニット102をドア状態センサ122に接続するために設けられている。ユーザ入力132は、ドア状態センサ122の嵌め合いプラグを収容するレセプタクルを備えるよう構成されている。コネクタ134、136は、コントローラユニット102を、それぞれ表示装置104及び電源に接続する。最後に、コネクタ138はコントローラユニット102とビーコン126とを接続する。部品番号359-0067としてアメリカンパワーコンバージョン社が注文設計した16ビットマイクロプロセッサなどのプロセッサ140が、UPS、温度／湿度センサ116、ビーコン126、ユーザ入力132、表示装置104、及び電源112の動作を制御するために設けられている。図4で「PICチップ」と記されている別のプロセッサ142を設けて、ビーコン126とユーザ入力132の動作を制御してもよい。別のコネクタ144を設けて、コントローラユニット102を上述したネットワーク管理システムに制御されるネットワークなどの外部ネットワークに接続してもよい。
【００３０】
一実施形態では、コネクタ130、134、及び138はRJ45コネクタであり、ユーザ入力はねじ込み端子である。図4を続けて参照すると、ドライバ129が、プロセッサ140とコネクタ128、134との間に配置されている。更に、コネクタ130は、2チャンネルの6:1マルチプレクサプロトコル・デバイス131によってPICチッププロセッサ142と通信して温度示度及び湿度示度をPICチップに送出する。送受信機133及びCANコントローラ135が、PICチッププロセッサ142とプロセッサ140との間に配置されている。リレー137が、コネクタ138とPICチッププロセッサ142との間に配置されている。コネクタ136によるACインレットは、元の電源139及び575mA電流制限器141に接続されており、これら元の電源139及び電流制限器141はCANコントローラ135に24ボルトの電力を供給する。LED143が、コントローラユニット102の電力状態を運転員に知らせるために設けられている。
【００３１】
ある実施形態では、湿度は長いワイヤにわたって正確さの低下がない周波数で符号化でき、マイクロプロセッサなどのディジタル構成要素により広いダイナミックレンジにわたりより容易に測定される。このアプローチの1つの利点は、使用する感知デバイスが直流を許容できないので、発信器回路の一部としてデバイスを使用することがこの制限を満足することである。
【００３２】
図5及び6を参照すると、コントローラユニット102は、例えば、機器収納ラック18のハウジング20に載置されるよう構成されたケーシング150を含んでいる。特に、一実施形態では、コントローラユニット102は機器収納ラックの内部領域で、ラック背面に取り付けられるよう適合されている。コントローラユニット102のケーシング150は、ラック内部領域の「1U」のスペースを占有するように幅が狭くなっている。図7を参照すると、収納ラック18のハウジング20の垂直レール60に1Uスペースが示されている。コントローラユニット102のケーシングは概ね17インチの長さがある。図示したように、コントローラユニット102は電源136、ディスプレイ134、ビーコン138、センサ130、ユーザ入力132、及びUPS128用のレセプタクルを備えている。図５に示したように、これらレセプタクルは、図4に示したコネクタ136、134、138、130、132、及び128にそれぞれ対応している。図5及び6に示したように、コントローラユニット102は、それぞれ152で示した一対のタブを含み、これらタブは、コントローラを機器収納ラックのハウジング(例えば、収納ラック18のハウジング20)にネジなどの適切な留め具を用いて取り付けるためにコントローラハウジング150の背面に設けられている。
【００３３】
コントローラユニット102は、1U分のラックスペースを使用するラック搭載オプションか、Uスペースを使用しない工具無しペグ搭載オプションを使って機器収納ラック(例えばラック18)の前面又は背面に取り付けできる。図8は、図5及び6に示したコントローラユニット102が収納ラック18の背面に取り付けられている状態を示す。図8に示したラック搭載オプションでは、タブ152を用いて、コントローラユニット102のケーシング150を収納ラック18のハウジング20の垂直レール(例えば、図7のレール60)にネジなどの適切な留め具で固定する。コントローラユニット102は、収納ラックの内部領域におけるラックの背面又は前面の選択した適切な場所に設置すればよい。コントローラユニット102を取り付ける垂直高さを確認するための、収納ラックのハウジングの垂直レールに刻まれた印すなわち数字(図7を参照のこと)を参照されたい。これら数字は、設置者がコントローラユニット102を水平位置で取り付ける助けとするために設けられている。ケージ入りナット62が垂直レール内に設けられており、タブの取り付け穴(番号を付けていない)を所望の高さでケージ入りナット62に位置合わせすると、それぞれ64で示した4つの取り付けネジを用いてタブをレールに取り付ける。
【００３４】
部分的に図9に示したペグ搭載オプションでは、機器収納ラック18のハウジング20に固定された一対の取り付けチャンネルにコントローラユニット102を固定するための取り付けペグが提供される。図9は1つの取り付けペグ66と取り付けチャンネル68のみを示した。図7及び8に示した垂直レール60を取り付けチャンネル68の代わりに用いてもよい。図示したように、取り付けペグ66はそれぞれ70で示した一対の突起を含み、これら突起が、それぞれ72で示した一対の嵌め合い開口部に挿入されるよう構成されている。開口部72は取り付けチャンネル68に形成されている。突起70は、その拡大端部が開口部72の拡大部内に嵌るようサイズ決めされている。取り付けペグ66は、定位置にロックされるまで下方に摺動させることにより定位置で固定される。取り付けペグ66はコントローラユニット102のタブに適切に固定して、コントローラユニットを機器収納ラック18内に載置すればよい。
【００３５】
温度センサ又は温度／湿度センサ116(以下、「温度センサ」と呼ぶ)は、監視する必要がある空気が存在する機器収納ラック18内の位置を選択して取り付ければよい。温度センサ116は、窓の近く、部屋の入口、空気ダクト、熱源、又は直射日光などのセンサの示度に影響しかねない場所に配置すべきではない。温度センサ116を図10に示したレール74などの垂直レール60に取り付けるときは、レールの全長に沿った任意の位置を選択する。一実施形態では、温度センサ116はセンサ取り付け台76を使ってレール74に取り付けるが、この取り付け台はその接着面から保護バッキング(図示しない)をはがし、接着面を垂直レールに押しつけることでレールに取り付けられる。図示したように、温度センサ116はケーブル78に取り付けられ、このケーブルはジップタイ79によりセンサ取り付け台76に形成された開口部(図示しない)によってセンサ取り付け台に固定される。温度センサ116をセンサ取り付け台76に固定した後は、ジップタイ79の端を切り落として外観を整えてもよい。次にケーブル78をレール74に形成された開口部80に通せばよい。ケーブル78はレールに入れた後、コントローラユニット102まで引き回し、センサコネクタ130の何れかに差し込む。
【００３６】
図11及び12を参照し、一実施形態では先ず図11によれば、温度センサ116は機器収納ラック18のドア34に固定できる。この実施形態では、温度センサ116は、ドアの頂部の内表面又は頂部付近の内表面に固定されている。ドアの底部は、当該体積空間内の空気の温度を正確に表さないことがある。一実施形態では、ドア34に形成した開口部を通したジップタイ84を使って温度センサ116をドアに固定できる。ジップタイ84は締め付けた後、短く切って外見を整えればよい。ケーブル78は温度センサ116に固定されていて、水平方向にドアフレームに向けて引き回し、ケーブル78が温度センサと概ね同じ高さとなるようにする。ケーブル取り付け台86は、ケーブル78をドアフレームに図12に示した様態で固定するために設けられている。図示したように、ケーブル取り付け台86は、ケーブル取り付け台の接着面から保護バッキング(図示しない)をはがし、ケーブル取り付け台をドアフレームの内表面に強く押しつけて取り付ける。次に、ケーブル78は、ケーブル取り付け台に形成した開口部(番号付けしていない)を通した別のジップタイ84を用いてケーブル取り付け台に固定する。付加的なケーブル取り付け台86を設けて、ケーブル78をドアフレームか、機器収納ラック18のハウジング20の他の支持部材に固定してもよい。ケーブル78の端部は、上述の様態でコントローラユニット102に取り付ければよい。図12A及び12Bに示した別の実施形態は、ロードアイランド州ウェストキングストン所在のアメリカンパワーコンバージョン社から入手可能なプラスチッククリップ87a、87bをそれぞれ含むことができる。クリップ87a、87bはドアに設けた穴にぱちっと嵌るよう構成できる。図示したように、クリップ87aはクリップ87bより大きく、温度／湿度センサハウジングの側面に設けた小さな凹部に嵌り込む構造体をクリップの先端に含んでいる。クリップ87bを用いて、ワイヤをセンサの本体近くに保持することにより温度のみのセンサを保持できる。こうした構成はドアとセンサ素子との間の熱抵抗を高め、示度がドアの温度でなく空気の温度を良く反映するようにする。収納ラック18内での温度センサ116の取り付けに用いたものと同様の技法を用いて、他のセンサを機器収納ラック内に取り付けてもよい。
【００３７】
UPSケーブル(図示しない)を設けてUPSをコントローラユニットに接続することができる。一実施形態では、このUPSケーブルは、部品番号940-0024Cでロードアイランド州ウェストキングストン所在のアメリカンパワーコンバージョン社から入手できる。UPSケーブルの一端はコントローラユニット102の接続部128に、他端はUPSのポートに接続される。
【００３８】
図13を参照すると、ビーコン警報器88を機器収納ラック18のルーフ90における目に見える位置又は収納ラック内に取り付けることができる。ビーコン警報器88を収納ラック18のルーフ90に取り付ける際、ケーブル92をルーフに設けた幾つかの開口部の何れかに通過させる。ビーコン警報器88は、留め具(図示しない)によりルーフ90に固定してもよいし、ルーフ90に置いてもよい。ケーブル92の一端はコントローラユニット102のコネクタ138に差し込むことができる。ビーコン警報器88は、任意適切な取り付け技法を用いて機器収納ラック18のハウジング20の前面22に取り付けてもよいことは注目すべきである。一実施形態では、ビーコン警報器88は、例えば直ちに注目すべき事態を視覚的に知らせることができる。別の実施形態では、ビーコン警報器88は、こうした事態を視覚的且つ音声的に知らせることができる。
【００３９】
図14乃至17は表示装置104を示す。上述したように、表示装置104は、例えば機器収納ラック18の前ドア34に取り付けられるよう設計されている。表示装置104は、前プレート160と前プレート160内に嵌合する表示ボード162とを含む。図17に示したように、表示ボード162は集成体として構成でき、表示スクリーン168(例えばグラフィックユーザ・インターフェース)と、表示灯170と、幾つかの制御ボタン172とを含む。前プレート160を固定する背面プレート164(図15及び16)を設け、表示装置104の構成要素を互いに組み付ける。具体的には、前プレート160と表示ボード162とは前ドア34上に位置するような形状が付けられている。背面プレート164を設けて、前ドアに形成された開口部を介して延伸する幾つかのネジ(図示しない)によって前プレート160と表示ボード162とを固定する。機器収納ラック18の内部領域内で引き回すケーブル(図示しない)を介して表示装置104とコントローラユニット102と間に通信を確立するためのプラグ166(図17)が更に設けられている。
【００４０】
表示装置104は、小型の単一ディスプレイを機器収納ラックの前ドア34に(機器収納ラック18の構成によっては後ドア58に)設けるよう設計されている。表示装置104は状態パネルとして機能し、機器収納ラックが許容範囲内で機能しているか、なんらかの問題が存在するかを一目で示す。仮に問題が存在すれば、表示装置104はその問題を表示スクリーン168に示す。表示装置104は、遠隔監視及び制御用の単一のネットワーク・アクセスポイントとしても機能できる。例えば、表示装置104を用いて冷却システムの動作を制御できる。図14乃至16に示したように、表示装置104を既存のドアに取り付けて、後付設置で使用してもよい。
【００４１】
管理システムの運転員が使用できるメニューオプションは図18乃至28に示した。具体的に、図18A及び18Bはこのラックマネージャシステムのメニュー構造を示す。図示したように、メインメニューは次のパラメータを制御且つ監視する選択サブメニューの指示メッセージを含む。それらパラメータは、機器収納ラックへの給電及び電力状況と、環境センサの制御及び状態と、選択されたユーザ入力の制御及び状態と、ビーコンの状態と、ドア及び動作センサなど、他の警報器の制御及び状態と、管理制御メニューと、ヘルプメニューと、コントローラユニットの動作ログとである。運転員はメインメニューからサブメニューを選択して、例えば1つ又は複数のセンサ或いは電源又は冷却システムなどの関連したシステムの情報を得たり、それらの設定を操作したりできる。「エスケープ」キーを使って任意の選択メニューから出ることもできる。
【００４２】
図19乃至19Bはビーコンサブメニューを示す。このサブメニューでは、特定の事象又は事態の発生が検出された時点で、ビーコンが起動するようにプログラムできる。例えば、ビーコン(及び警報器)は、温度センサによって検出される温度が、ある閾値を超えたときにトリガされるようにしてもよい。他のパラメータも、一定の事象が発生した時点で警報を発するように同様にこのサブメニューでプログラムしてもよい。特に、運転員はビーコンマップに入って、温度センサ、湿度センサ、UPS警報及び／又はUPS重大警報などの、ビーコンをトリガ又は作動させるのに必要なパラメータをセットできる。
【００４３】
図20はセンサ入力サブメニューを示す。このサブメニューでは、ドア及び動作センサなどの環境センサに関連のないセンサは運転員がプログラムできる。環境センサの制御は、図25A及び25Bに示し且つ説明するサブメニューを介して実行可能である。
【００４４】
図21は管理サブメニューを示す。図示したように、システムのパスワード設定や様々なサブメニュー構成などの管理機能は、運転員が表示装置1を介してコントローラユニットにプログラムできる。例えば、ユーザ名又はネットワークアドレス及び管理パスワードを与えることができる。「上」、「下」、「エスケープ」、及び「ヘルプ」キーを使って移動できる。
【００４５】
図22はローカルディスプレイ構成サブメニューを示す。環境センサ、ユーザ入力の表示(例えば動作検出装置)、及びUPS表示状態を表示装置に表示できる。
【００４６】
図23は警報サブメニューを示す。このサブメニューでは稼働中の警報を示し、プログラムし、且つビューできる。上述のように、一実施形態では、コントローラユニットをプログラムして、重大(第1)事象、軽度(第2)事象、注意(第3)事象、及び情報(第4)事象など4つのレベルの事象の1つを識別させてもよい。
【００４７】
図24は警報ログサブメニューを示すが、これは例えばそれぞれの警報検出の時刻、日付、及び説明を追跡して事象のログが維持されるように構成できる。
【００４８】
図25A乃至25Bは温度サブメニューを示す。図示したように、所定の最高及び最低温度をそれぞれ超過又は下回るとビーコン及び警報がトリガされるように温度サブメニューをプログラムできる。同様に、このサブメニューは、温度／湿度センサにおいて湿度が所定範囲外になった時点で警報をトリガするようプログラムしてもよい。更に、温度及び湿度の変化率をプログラムしてもよい。
【００４９】
図26A及び26Bはヘルプメニューを示し、これはコントローラユニットの運転員がメニュー及びサブメニューをプログラミングする助けとなる。図示したように、動作時に運転員がエラーを検出し修正する助けとなるように、ヘルプトピックをメニューにプログラミングできる。
【００５０】
図27はメニューのスクロール機能を説明する状態図を示す。ディスプレイのスクロールには、2つの動作モードが存在する。自動スクロールモードでは、複数画面が1つの画面から次へタイマーに基づいて循環する。<up>又は<down>ボタンを押せばユーザスクロールモードが変化する。ユーザスクロールモードとなっている時は、ユーザが<up>又は<down>ボタンを押せば画面は前後に循環する。スクロールモードが非活動状態となっていると、ユーザスクロールモードは自動スクロールモードに復帰する。図27に示したように、運転員は、<esc>ボタンを押すことでメインメニューに戻ることができる。
【００５１】
最後に、図28A及び28Bは、メインメニュー構成用の一般的な必須のサポートサブメニューを示す。
【００５２】
複数の機器収納ラックをネットワーク化することが望ましい構成において、本発明による実施形態の管理システムを特に使用できる。管理システムの表示装置を用いれば、機器運転員はそれぞれの機器収納ラックの表示装置さえ見れば、機器収納ラックに含まれる機器の現在の状態を把握できる。この管理システムは、装置の状態と、問題状況が発生した場合はその状況の明確な表示とを、簡潔にローカルで集約して示す。この管理システムは後付で使用することもでき、その場合は、コントローラユニットを筐体の後部で筐体内に取り付け、表示装置を筐体の前ドアに取り付けることになる。従って、この管理システムはそうした後付使用のために顧客にキットとして提供できる。一実施形態では、このキットは、コントローラユニット102と、表示装置104と、温度センサ116、煙センサ120、漏れ／水分センサ118、及び動作／振動センサ124を含むがそれには限定されない少なくとも1つの監視装置と、ケーブルと、電源装置と、ビーコンとのうち1つ又は複数の品目を含むことができる。
【００５３】
上述のように、一実施形態では、表示装置104の表示スクリーンはグラフィックユーザ・インターフェース(「GUI」)であり、これにより機器の運転員は機器収納ラックの動作を制御可能となる。表示装置104は、１つ又は複数の問題が存在するかどうかを表示するよう構成されており、機器運転員はメニューリストをスクロールしてそうした問題を確認し解決できる。又、機器の運転員は機器収納ラック18内の被監視装置の重要な状態パラメータを表示灯170で見ることもできる。一実施形態では、表示灯170は運転員に、電源状態(例えば、「電源OK」を示す表示灯で)、ログ(例えば、「チェックログ」を示す表示灯で)、又は問題が発生しているか（「注意」又は「重大」を示す表示灯で）を知らせることができる。
【００５４】
コントローラユニット102はローカルネットワークに接続された装置を発見するよう構成されているので、管理システム100の設定は容易である。特に、コントローラユニット102は、予め特定の装置に関する情報がない場合でも、プロプライタリな簡易ネットワーク管理プロトコル（「SNMP」）オブジェクト識別子「(OID)」データベースからなるシステムによりそれら装置を識別できる。既知の又は互換性があるアドレスを備えた装置を探してローカルネットワークを走査したり、定期的にそれ自身の存在を同報通信するよう装置を設計したりすることで、ローカルネットワーク上で装置を発見できる。サードパーティー装置は、ユーザがその装置のアドレスを手動で入力することでサポートできる。集約データの概要はローカルディスプレイ上と、例えばインターネット、SNMP、電子メール、テルネットを介してネットワーク上で表示できる。この機能は、遠隔地の運転員に、直接リンクを介して監視下の機器に概要データ及び詳細データへの単一のアクセスポイントを提供する。又、このシステムは、温度、湿度、煙、動き、振動、及び／又は漏れ／水分状態を検出する１つ又は複数のセンサを含むことができる。これらが検出されると、例えば、機器収納ラックの頂部又は配線収納庫の外側に設けられたビーコンが起動する。コントローラユニットは、電子メールやSNMPトラップを介して様々な形式のネットワーク通知を発信できる。更に、このシステムの少なくとも幾つかの実施形態によるコントローラユニットは、１つ又は複数のUPS装置とシリアル通信して、低コストで初級レベルのアプリケーションのネットワーク接続のコスト及び必要性を無くす。
【００５５】
コントローラユニット及び表示装置や監視装置を含んだ本発明の実施形態の管理システム100は、ディスプレイを介して問題を小さく、簡潔に、目立つように表示できる。コントローラ及び表示装置は、既存の機器収納ラックの外部に簡単に取り付けできる。管理システム100は多数の装置からデータを収集し、機器収納ラック内の問題地点を識別できる。この管理システムは設置も容易で、ローカルでも遠隔位置からでも操作可能に構成できる。
【００５６】
本発明の少なくとも1つの実施形態を説明してきたが、当業者であれば様々な変更、修正、及び改善を容易に思いつくことができることには注目すべきである。こうした変更、修正、及び改善は、本発明の精神及び範囲に入ることが意図されている。従って、上述の記載は例示のみを目的としていて、限定的ではない。本発明の限定は、次の特許請求の範囲及びその等価物のみに定義される。
【図面の簡単な説明】
【００５７】
本発明をより良く理解するため、参照して本明細書に援用する図面を参照する。
【図１】データセンターの一部の透視図である。
【図２】機器収納ラックの透視図である。
【図３】本発明の一実施形態による機器収納ラック管理システムの幾つかの機能側面を示すブロック図である。
【図４】図3に示した管理システムのコントローラユニットのハードウェアを示す別のブロック図である。
【図５】コントローラユニットの前方透視図である。
【図６】図5に示したコントローラユニットの後方正面図である。
【図７】図2に示した機器収納ラックの垂直レールの前方正面図である。
【図８】機器収納ラックに設置中のコントローラユニットの拡大透視図である。
【図９】コントローラユニットを機器収納ラックに載置するのに用いる本発明による一実施形態の取り付けペグの拡大透視図である。
【図１０】機器収納ラックに取り付けた温度センサの拡大透視図である。
【図１１】本発明の別の実施形態による機器収納ラックに取り付けられた温度センサの拡大透視図である。
【図１２】ケーブルを機器収納ラックに固定するため使用される、本発明の実施形態によるケーブル取り付け台の拡大透視図である。  (A)及び(B)ケーブルを機器収納ラックに固定するため使用される、本発明の実施形態によるケーブル取り付け台の拡大透視図である。
【図１３】機器収納ラックの頂部に載置した、本発明の一実施形態によるビーコンの透視図である。
【図１４】管理システムの表示装置の前方透視図であり、該表示装置は機器収納ラックの前ドアに取り付けられている。
【図１５】表示装置の平面図である。
【図１６】表示装置の後方透視図である。
【図１７】表示装置の表示パネル集成体の分解透視図である。
【図１８】(A)       管理システムの表示装置で与えられるメニューオプションの機能ブロック図である。(B)       管理システムの表示装置で与えられるメニューオプションの機能ブロック図である。
【図１９】(A)       管理システムの表示装置で与えられるメニューオプションの機能ブロック図である。(B)       管理システムの表示装置で与えられるメニューオプションの機能ブロック図である。
【図２０】管理システムの表示装置で与えられるメニューオプションの機能ブロック図である。
【図２１】管理システムの表示装置で与えられるメニューオプションの機能ブロック図である。
【図２２】管理システムの表示装置で与えられるメニューオプションの機能ブロック図である。
【図２３】管理システムの表示装置で与えられるメニューオプションの機能ブロック図である。
【図２４】管理システムの表示装置で与えられるメニューオプションの機能ブロック図である。
【図２５】(A)    管理システムの表示装置で与えられるメニューオプションの機能ブロック図である。(B)    管理システムの表示装置で与えられるメニューオプションの機能ブロック図である。
【図２６】(A)    管理システムの表示装置で与えられるメニューオプションの機能ブロック図である。(B)    管理システムの表示装置で与えられるメニューオプションの機能ブロック図である。
【図２７】管理システムの表示装置で与えられるメニューオプションの機能ブロック図である。
【図２８】(A)    管理システムの表示装置で与えられるメニューオプションの機能ブロック図である。(B)    管理システムの表示装置で与えられるメニューオプションの機能ブロック図である。
【図１】
2009526407.tif 000003
【図２】
2009526407.tif 000004
【図３】
2009526407.tif 000005
【図４】
2009526407.tif 000006
【図５】
2009526407.tif 000007
【図６】
2009526407.tif 000008
【図７】
2009526407.tif 000009
【図８】
2009526407.tif 000010
【図９】
2009526407.tif 000011
【図１０】
2009526407.tif 000012
【図１１】
2009526407.tif 000013
【図１２】
2009526407.tif 000014
【図１２ＡＢ】
2009526407.tif 000015
【図１３】
2009526407.tif 000016
【図１４】
2009526407.tif 000017
【図１５】
2009526407.tif 000018
【図１６】
2009526407.tif 000019
【図１７】
2009526407.tif 000020
【図１８Ａ】
2009526407.tif 000021
【図１８Ｂ】
2009526407.tif 000022
【図１９Ａ】
2009526407.tif 000023
【図１９Ｂ】
2009526407.tif 000024
【図２０】
2009526407.tif 000025
【図２１】
2009526407.tif 000026
【図２２】
2009526407.tif 000027
【図２３】
2009526407.tif 000028
【図２４】
2009526407.tif 000029
【図２５Ａ】
2009526407.tif 000030
【図２５Ｂ】
2009526407.tif 000031
【図２６Ａ】
2009526407.tif 000032
【図２６Ｂ】
2009526407.tif 000033
【図２７】
2009526407.tif 000034
【図２８Ａ】
2009526407.tif 000035
【図２８Ｂ】
2009526407.tif 000036
【国際調査報告】
2009526407.tif 000037
2009526407.tif 000038